(57)【要約】【課題】  発光ダイオードから発光ガイド体への集光量を多くすること。【解決手段】  発光ダイオードＬＥＤの前方に位置するタクトスイッチ７に対向する操作杆３ｄの上面から上方に延びて発光ガイド体９の下面に当接または接近する起立部２０ａと、操作杆３ｄの下面から下方に延びる脚部２０ｂと、該脚部２０ｂに対向して筐体本体１に一体形成されてメイン基板６の前端縁に形成した凹部６ａを通って上方に延びる踏み台２０ｃとからなる押し上げ機構２０が設けられており、フロントパネル２を突起部１８を中心に下動させたときに、脚部２０ｂを踏み台２０ｃに乗り上げさせて操作杆３ｄを押し上げることにより起立部２０ａを介して発光ガイド体９を押し上げ、該発光ガイド体９の他端部９ｃがタクトスイッチ７の上方を通過した後に脚部２０ｂを踏み台２０ｃ上から降ろしてその発光ガイド体９の押し上げを解除する。【選択図】        図１
2005294191.tif 000002
【特許請求の範囲】
【請求項１】
内部に電気機器本体を収納した筐体本体の前面開口部に配置されるフ
ロントパネルにスイッチ部が設けられ、該スイッチ部が、フロントパネルの裏面に基端部
を止着した弾性変位可能な複数の弾性レバーを有し、該各弾性レバーの上端に一体形成し
たノブがフロントパネルに開設したノブ孔に挿入され、その各弾性レバーから後方に延び
る操作杆に対向して筐体本体内のメイン基板上にタクトスイッチが配置され、該各タクト
スイッチのうち、適当なものの後方に接近してメイン基板上に発光ダイオードが配置され
、前記フロントパネルの前記ノブ孔よりも上方適所に開設した発光孔内に一端部を挿入し
た発光ガイド体から上方に延びる分岐部がフロントパネルの裏面に止着されると共に、該
発光ガイド体の他端部が後方下向きに円弧状に延ばされており、前記フロントパネルの上
端部を筐体本体の前方上部に架設した横桁上の突起部に係合させ、該突起部を中心にフロ
ントパネルを下動させてそのフロントパネルを筐体本体の前面開口部に着脱可能に嵌合さ
せることにより、前記各操作杆をタクトスイッチに接近させると共に、前記発光ガイド体
の他端部をタクトスイッチの上方を通過して前記発光ダイオードに接近させ、前記各ノブ
の押圧操作により弾性レバーを弾性変位させ操作杆によりタクトスイッチをオン・オフ操
作すると共に、適当なタクトスイッチのオン操作に基づいて発光ダイオードを発光させる
ことにより発光ガイド体を介して発光孔を発光させるようにした発光ガイド体及びスイッ
チ部付きフロントパネル嵌合装置において、前記発光ダイオードの前方に位置するタクト
スイッチに対向する操作杆の上面から上方に延びて発光ガイド体の下面に当接または接近
する起立部と、操作杆の下面から下方に延びる脚部と、該脚部に対向して筐体本体に一体
形成されてメイン基板の前端縁に形成した凹部を通って上方に延びる踏み台とからなる押
し上げ機構が設けられ、該踏み台に一体形成した棚部によりメイン基板の下面が支持され
ており、前記フロントパネルを突起部を中心に下動させたときに、脚部を踏み台に乗り上
げさせて操作杆を押し上げることにより起立部を介して発光ガイド体を押し上げ、該発光
ガイド体の他端部がタクトスイッチの上方を通過した後に脚部を踏み台上から降ろしてそ
の発光ガイド体の押し上げを解除することを特徴とする発光ガイド体及びスイッチ部付き
フロントパネル嵌合装置。
【請求項２】
内部に電気機器本体を収納した筐体本体の前面開口部に配置されるフ
ロントパネルにスイッチ部が設けられ、該スイッチ部が、フロントパネルの裏面に基端部
を止着した弾性変位可能な複数の弾性レバーを有し、該各弾性レバーの上端に一体形成し
たノブがフロントパネルに開設したノブ孔に挿入され、その各弾性レバーから後方に延び
る操作杆に対向して筐体本体内のメイン基板上にタクトスイッチが配置され、該各タクト
スイッチのうち、適当なものの後方に接近してメイン基板上に発光ダイオードが配置され
、前記フロントパネルの前記ノブ孔よりも上方適所に開設した発光孔内に一端部を挿入し
た発光ガイド体から上方に延びる分岐部がフロントパネルの裏面に止着されると共に、該
発光ガイド体の他端部が後方下向きに円弧状に延ばされており、前記フロントパネルの上
端部を筐体本体の前方上部に架設した横桁上の突起部に係合させ、該突起部を中心にフロ
ントパネルを下動させてそのフロントパネルを筐体本体の前面開口部に着脱可能に嵌合さ
せることにより、前記各操作杆をタクトスイッチに接近させると共に、前記発光ガイド体
の他端部をタクトスイッチの上方を通過して前記発光ダイオードに接近させ、前記各ノブ
の押圧操作により弾性レバーを弾性変位させ操作杆によりタクトスイッチをオン・オフ操
作すると共に、適当なタクトスイッチのオン操作に基づいて発光ダイオードを発光させる
ことにより発光ガイド体を介して発光孔を発光させるようにした発光ガイド体及びスイッ
チ部付きフロントパネル嵌合装置において、前記発光ダイオードの前方に位置するタクト
スイッチに対向する操作杆の上面から上方に延びて発光ガイド体の下面に当接または接近
する起立部と、操作杆の下面から下方に延びる脚部と、該脚部に対向して筐体本体に一体
形成されてメイン基板よりも上方に延びる踏み台とからなる押し上げ機構が設けられ、前
記踏み台に形成した凹溝にメイン基板の前端縁が着脱可能に嵌入されており、前記フロン
トパネルを突起部を中心に下動させたときに、脚部を踏み台に乗り上げさせて操作杆を押
し上げることにより起立部を介して発光ガイド体を押し上げ、該発光ガイド体の他端部が
タクトスイッチの上方を通過した後に脚部を踏み台上から降ろしてその発光ガイド体の押
し上げを解除することを特徴とする発光ガイド体及びスイッチ部付きフロントパネル嵌合
装置。
【請求項３】
内部に電気機器本体を収納した筐体本体の前面開口部に配置されるフ
ロントパネルにスイッチ部が設けられ、該スイッチ部が、フロントパネルの裏面に基端部
を止着した弾性変位可能な複数の弾性レバーを有し、該各弾性レバーの上端に一体形成し
たノブがフロントパネルに開設したノブ孔に挿入され、その各弾性レバーから後方に延び
る操作杆に対向して筐体本体内のメイン基板上にタクトスイッチが配置され、該各タクト
スイッチのうち、適当なものの後方に接近してメイン基板上に発光ダイオードが配置され
、前記フロントパネルの前記ノブ孔よりも上方適所に開設した発光孔内に一端部を挿入し
た発光ガイド体から上方に延びる分岐部がフロントパネルの裏面に止着されると共に、該
発光ガイド体の他端部が後方下向きに円弧状に延ばされており、前記フロントパネルの上
端部を筐体本体の前方上部に架設した横桁上の突起部に係合させ、該突起部を中心にフロ
ントパネルを下動させてそのフロントパネルを筐体本体の前面開口部に着脱可能に嵌合さ
せることにより、前記各操作杆をタクトスイッチに接近させると共に、前記発光ガイド体
の他端部をタクトスイッチの上方を通過して前記発光ダイオードに接近させ、前記各ノブ
の押圧操作により弾性レバーを弾性変位させ操作杆によりタクトスイッチをオン・オフ操
作すると共に、適当なタクトスイッチのオン操作に基づいて発光ダイオードを発光させる
ことにより発光ガイド体を介して発光孔を発光させるようにした発光ガイド体及びスイッ
チ部付きフロントパネル嵌合装置において、前記発光ダイオードの前方に位置するタクト
スイッチに対向する操作杆の上面から上方に延びて発光ガイド体の下面に当接または接近
する起立部と、操作杆の下面から下方に延びる脚部と、該脚部に対向してメイン基板上に
配置した踏み台とからなる押し上げ機構が設けられ、前記踏み台と発光ダイオードを取り
囲んで保護する筒状ホルダとが一体形成されており、前記フロントパネルを突起部を中心
に下動させたときに、脚部を踏み台に乗り上げさせて操作杆を押し上げることにより起立
部を介して発光ガイド体を押し上げ、該発光ガイド体の他端部がタクトスイッチの上方を
通過した後に脚部を踏み台上から降ろしてその発光ガイド体の押し上げを解除することを
特徴とする発光ガイド体及びスイッチ部付きフロントパネル嵌合装置。
【請求項４】
内部に電気機器本体を収納した筐体本体の前面開口部に配置されるフ
ロントパネルにスイッチ部が設けられ、該スイッチ部に対向して筐体本体内のメイン基板
上に複数のタクトスイッチが配置され、該各タクトスイッチのうち、適当なものの後方に
接近してメイン基板上に発光ダイオードが配置され、前記フロントパネルのスイッチ部よ
りも上方適所に開設した発光孔内に一端部を挿入した発光ガイド体から上方に延びる分岐
部がフロントパネルの裏面に止着されると共に、該発光ガイド体の他端部が後方下向きに
円弧状に延ばされており、前記フロントパネルの上端部を筐体本体の上部に設けた突起部
に係合させ、その突起部を中心にフロントパネルを下動させて筐体本体の前面開口部に着
脱可能に嵌合させることにより、前記スイッチ部をタクトスイッチに接近させると共に、
前記発光ガイド体の他端部をタクトスイッチの上方を通過して前記発光ダイオードに接近
させ、スイッチ部のオン操作に基づいて発光ダイオードを発光させることにより発光ガイ
ド体を介して発光孔を発光させるようにした発光ガイド体及びスイッチ部付きフロントパ
ネル嵌合装置において、前記フロントパネルの下動に連動して発光ガイド体を押し上げて
該発光ガイド体の他端部がタクトスイッチの上方を通過した後にその発光ガイド体の押し
上げを解除する押し上げ機構が設けられていることを特徴とする発光ガイド体及びスイッ
チ部付きフロントパネル嵌合装置。
【請求項５】
前記スイッチ部が、フロントパネルの裏面に基端部を止着した弾性変
位可能な複数の弾性レバーを有し、該各弾性レバーの上端に一体形成したノブがフロント
パネルに開設したノブ孔に挿入され、その各弾性レバーから操作杆がタクトスイッチに向
けて後方に延ばされ、前記押し上げ機構が、前記発光ダイオードの前方に位置するタクト
スイッチに対向する操作杆の上面から上方に延びて発光ガイド体の下面に当接または接近
する起立部と、操作杆の下面から下方に延びる脚部と、該脚部に対向してメイン基板より
上方に位置する踏み台とを有し、フロントパネルを突起部を中心に下動させたときに、脚
部を踏み台に乗り上げさせて操作杆を押し上げることにより起立部を介して発光ガイド体
を押し上げ、該発光ガイド体の他端部がタクトスイッチの上方を通過した後に脚部を踏み
台上から降ろしてその発光ガイド体の押し上げを解除することを特徴とする請求項４に記
載の発光ガイド体及びスイッチ部付きフロントパネル嵌合装置。
【請求項６】
前記踏み台が筐体本体に一体形成されてメイン基板の前端縁に形成し
た凹部を通って上方に延ばされ、該踏み台に一体形成した棚部によりメイン基板の下面が
支持されていることを特徴とする請求項５に記載の発光ガイド体及びスイッチ部付きフロ
ントパネル嵌合装置。
【請求項７】
前記踏み台が筐体本体に一体形成されてメイン基板よりも上方に延ば
され、該踏み台に形成した凹溝にメイン基板の前端縁が着脱可能に嵌入されていることを
特徴とする請求項５に記載の発光ガイド体及びスイッチ部付きフロントパネル嵌合装置。
【請求項８】
前記踏み台がメイン基板上に配置され、該踏み台と発光ダイオードを
取り囲んで保護する筒状ホルダとが一体形成されていることを特徴とする請求項５に記載
の発光ガイド体及びスイッチ部付きフロントパネル嵌合装置。
【発明の詳細な説明】
【技術分野】
【０００１】
本発明は、例えばＤＶＤ一体型ビデオデッキなどの電気機器のフロントパネルに設けた
発光孔を明るく発光させるようにした発光ガイド体及びスイッチ部付きフロントパネル嵌
合装置に関する。
【背景技術】
【０００２】
従来、ＤＶＤ一体型ビデオデッキの一例として図７及び図８に示すものがある。これは
、筐体本体１とフロントパネル２とトップカバー１０とにより筐体が形成され、内部にＤ
ＶＤ及びビデオデッキ（図示せず）を収納した筐体本体１の前面開口部に配置される合成
樹脂製フロントパネル２にスイッチ部３が設けられ、該スイッチ部３が、フロントパネル
２の裏面に基端部３ａを止着して薄肉ヒンジ部４を中心に弾性変位可能な複数の弾性レバ
ー３ｂを有し、該各弾性レバー３ｂの上端に一体形成したノブ３ｃがフロントパネル２に
開設したノブ孔５に挿入され、その各弾性レバー３ｂから後方に延びる操作杆３ｄに対向
して筐体本体１内のメイン基板６上にタクトスイッチ７が配置され、該各タクトスイッチ
７のうち、適当なものの後方に接近してメイン基板６上に発光ダイオードＬＥＤが配置さ
れ、フロントパネル２のノブ孔５よりも上方適所に開設した発光孔８内に一端部９ａを挿
入したアクリル樹脂などの透光体からなる発光ガイド体９から上方に延びる分岐部９ｂが
フロントパネル２の裏面に止着されると共に、該発光ガイド体９の他端部９ｃが後方下向
きに円弧状に延ばされている。なお、図７中、１１はビデオデッキ用開閉蓋、１２はＤＶ
Ｄ用開閉蓋、１３は電源釦、１４はチャンネル切換釦である。図８中、１５は発光ダイオ
ードＬＥＤを取り囲んで保護する円筒状ホルダであって、メイン基板６上に固定されてい
る。
【０００３】
上記構成において、適当なノブ３ｃを押すことにより、弾性レバー３ｂが薄肉ヒンジ部
４を中心に後方に弾性変位され、操作杆３ｄが下動してタクトスイッチ７をオン、オフ操
作すると共に、適当なタクトスイッチ７のオン操作に基づいて発光ダイオードＬＥＤを発
光させることにより、発光ガイド体９を介して発光孔８を発光させる。
【０００４】
フロントパネル２の嵌合手順を説明すると、図８に仮想線で示すように、該フロントパ
ネル２の上端部から後方に延びる係合片２ａの係合孔１７を筐体本体１の前方上部に架設
した横桁１ａ上の突起部１８に係合させ、該突起部１８を中心にフロントパネル２を下動
させてそのフロントパネル２を筐体本体１の前面開口部に嵌合させることにより、各操作
杆３ｄをタクトスイッチ７に接近させると共に、発光ガイド体９の他端部９ｃを発光ダイ
オードＬＥＤに接近させる（図８実線参照）。
【特許文献１】特開２００１−２９１９０３号公報
【発明の開示】
【発明が解決しようとする課題】
【０００５】
上記従来の構成では、図８に示すように、フロントパネル２を筐体本体１の前面開口部
に嵌合させたときに、発光ガイド体９の他端部９ｃがタクトスイッチ７に接触するおそれ
がある。そこで、発光ガイド体９の他端部９ｃの軌跡Ｌ１がタクトスイッチ７と交差しな
いように設定しているが、これでは、発光ガイド体９の他端部９ｃと発光ダイオードＬＥ
Ｄとの間の間隔αが大きくなって、その発光ガイド体９の集光量が少なくなり、発光孔８
の輝度が低くなる。
【０００６】
本発明は、上記従来の欠点に鑑み、発光ダイオードから発光ガイド体への集光量を多く
した発光ガイド体及びスイッチ部付きフロントパネル嵌合装置を提供することを目的とし
ている。
【課題を解決するための手段】
【０００７】
上記目的を達成するため、請求項１に記載の発明は、内部に電気機器本体を収納した筐
体本体の前面開口部に配置されるフロントパネルにスイッチ部が設けられ、該スイッチ部
が、フロントパネルの裏面に基端部を止着した弾性変位可能な複数の弾性レバーを有し、
該各弾性レバーの上端に一体形成したノブがフロントパネルに開設したノブ孔に挿入され
、その各弾性レバーから後方に延びる操作杆に対向して筐体本体内のメイン基板上にタク
トスイッチが配置され、該各タクトスイッチのうち、適当なものの後方に接近してメイン
基板上に発光ダイオードが配置され、前記フロントパネルの前記ノブ孔よりも上方適所に
開設した発光孔内に一端部を挿入した発光ガイド体から上方に延びる分岐部がフロントパ
ネルの裏面に止着されると共に、該発光ガイド体の他端部が後方下向きに円弧状に延ばさ
れており、前記フロントパネルの上端部を筐体本体の前方上部に架設した横桁上の突起部
に係合させ、該突起部を中心にフロントパネルを下動させてそのフロントパネルを筐体本
体の前面開口部に着脱可能に嵌合させることにより、前記各操作杆をタクトスイッチに接
近させると共に、前記発光ガイド体の他端部をタクトスイッチの上方を通過して前記発光
ダイオードに接近させ、前記各ノブの押圧操作により弾性レバーを弾性変位させ操作杆に
よりタクトスイッチをオン・オフ操作すると共に、適当なタクトスイッチのオン操作に基
づいて発光ダイオードを発光させることにより発光ガイド体を介して発光孔を発光させる
ようにした発光ガイド体及びスイッチ部付きフロントパネル嵌合装置において、前記発光
ダイオードの前方に位置するタクトスイッチに対向する操作杆の上面から上方に延びて発
光ガイド体の下面に当接または接近する起立部と、操作杆の下面から下方に延びる脚部と
、該脚部に対向して筐体本体に一体形成されてメイン基板の前端縁に形成した凹部を通っ
て上方に延びる踏み台とからなる押し上げ機構が設けられ、該踏み台に一体形成した棚部
によりメイン基板の下面が支持されており、前記フロントパネルを突起部を中心に下動さ
せたときに、脚部を踏み台に乗り上げさせて操作杆を押し上げることにより起立部を介し
て発光ガイド体を押し上げ、該発光ガイド体の他端部がタクトスイッチの上方を通過した
後に脚部を踏み台上から降ろしてその発光ガイド体の押し上げを解除することを特徴とし
ている。
【０００８】
請求項２に記載の発明は、内部に電気機器本体を収納した筐体本体の前面開口部に配置
されるフロントパネルにスイッチ部が設けられ、該スイッチ部が、フロントパネルの裏面
に基端部を止着した弾性変位可能な複数の弾性レバーを有し、該各弾性レバーの上端に一
体形成したノブがフロントパネルに開設したノブ孔に挿入され、その各弾性レバーから後
方に延びる操作杆に対向して筐体本体内のメイン基板上にタクトスイッチが配置され、該
各タクトスイッチのうち、適当なものの後方に接近してメイン基板上に発光ダイオードが
配置され、前記フロントパネルの前記ノブ孔よりも上方適所に開設した発光孔内に一端部
を挿入した発光ガイド体から上方に延びる分岐部がフロントパネルの裏面に止着されると
共に、該発光ガイド体の他端部が後方下向きに円弧状に延ばされており、前記フロントパ
ネルの上端部を筐体本体の前方上部に架設した横桁上の突起部に係合させ、該突起部を中
心にフロントパネルを下動させてそのフロントパネルを筐体本体の前面開口部に着脱可能
に嵌合させることにより、前記各操作杆をタクトスイッチに接近させると共に、前記発光
ガイド体の他端部をタクトスイッチの上方を通過して前記発光ダイオードに接近させ、前
記各ノブの押圧操作により弾性レバーを弾性変位させ操作杆によりタクトスイッチをオン
・オフ操作すると共に、適当なタクトスイッチのオン操作に基づいて発光ダイオードを発
光させることにより発光ガイド体を介して発光孔を発光させるようにした発光ガイド体及
びスイッチ部付きフロントパネル嵌合装置において、前記発光ダイオードの前方に位置す
るタクトスイッチに対向する操作杆の上面から上方に延びて発光ガイド体の下面に当接ま
たは接近する起立部と、操作杆の下面から下方に延びる脚部と、該脚部に対向して筐体本
体に一体形成されてメイン基板よりも上方に延びる踏み台とからなる押し上げ機構が設け
られ、前記踏み台に形成した凹溝にメイン基板の前端縁が着脱可能に嵌入されており、前
記フロントパネルを突起部を中心に下動させたときに、脚部を踏み台に乗り上げさせて操
作杆を押し上げることにより起立部を介して発光ガイド体を押し上げ、該発光ガイド体の
他端部がタクトスイッチの上方を通過した後に脚部を踏み台上から降ろしてその発光ガイ
ド体の押し上げを解除することを特徴としている。
【０００９】
請求項３に記載の発明は、内部に電気機器本体を収納した筐体本体の前面開口部に配置
されるフロントパネルにスイッチ部が設けられ、該スイッチ部が、フロントパネルの裏面
に基端部を止着した弾性変位可能な複数の弾性レバーを有し、該各弾性レバーの上端に一
体形成したノブがフロントパネルに開設したノブ孔に挿入され、その各弾性レバーから後
方に延びる操作杆に対向して筐体本体内のメイン基板上にタクトスイッチが配置され、該
各タクトスイッチのうち、適当なものの後方に接近してメイン基板上に発光ダイオードが
配置され、前記フロントパネルの前記ノブ孔よりも上方適所に開設した発光孔内に一端部
を挿入した発光ガイド体から上方に延びる分岐部がフロントパネルの裏面に止着されると
共に、該発光ガイド体の他端部が後方下向きに円弧状に延ばされており、前記フロントパ
ネルの上端部を筐体本体の前方上部に架設した横桁上の突起部に係合させ、該突起部を中
心にフロントパネルを下動させてそのフロントパネルを筐体本体の前面開口部に着脱可能
に嵌合させることにより、前記各操作杆をタクトスイッチに接近させると共に、前記発光
ガイド体の他端部をタクトスイッチの上方を通過して前記発光ダイオードに接近させ、前
記各ノブの押圧操作により弾性レバーを弾性変位させ操作杆によりタクトスイッチをオン
・オフ操作すると共に、適当なタクトスイッチのオン操作に基づいて発光ダイオードを発
光させることにより発光ガイド体を介して発光孔を発光させるようにした発光ガイド体及
びスイッチ部付きフロントパネル嵌合装置において、前記発光ダイオードの前方に位置す
るタクトスイッチに対向する操作杆の上面から上方に延びて発光ガイド体の下面に当接ま
たは接近する起立部と、操作杆の下面から下方に延びる脚部と、該脚部に対向してメイン
基板上に配置した踏み台とからなる押し上げ機構が設けられ、前記踏み台と発光ダイオー
ドを取り囲んで保護する筒状ホルダとが一体形成されており、前記フロントパネルを突起
部を中心に下動させたときに、脚部を踏み台に乗り上げさせて操作杆を押し上げることに
より起立部を介して発光ガイド体を押し上げ、該発光ガイド体の他端部がタクトスイッチ
の上方を通過した後に脚部を踏み台上から降ろしてその発光ガイド体の押し上げを解除す
ることを特徴している。
【００１０】
請求項４に記載の発明は、内部に電気機器本体を収納した筐体本体の前面開口部に配置
されるフロントパネルにスイッチ部が設けられ、該スイッチ部に対向して筐体本体内のメ
イン基板上に複数のタクトスイッチが配置され、該各タクトスイッチのうち、適当なもの
の後方に接近してメイン基板上に発光ダイオードが配置され、前記フロントパネルのスイ
ッチ部よりも上方適所に開設した発光孔内に一端部を挿入した発光ガイド体から上方に延
びる分岐部がフロントパネルの裏面に止着されると共に、該発光ガイド体の他端部が後方
下向きに円弧状に延ばされており、前記フロントパネルの上端部を筐体本体の上部に設け
た突起部に係合させ、その突起部を中心にフロントパネルを下動させて筐体本体の前面開
口部に着脱可能に嵌合させることにより、前記スイッチ部をタクトスイッチに接近させる
と共に、前記発光ガイド体の他端部をタクトスイッチの上方を通過して前記発光ダイオー
ドに接近させ、スイッチ部のオン操作に基づいて発光ダイオードを発光させることにより
発光ガイド体を介して発光孔を発光させるようにした発光ガイド体及びスイッチ部付きフ
ロントパネル嵌合装置において、前記フロントパネルの下動に連動して発光ガイド体を押
し上げて該発光ガイド体の他端部がタクトスイッチの上方を通過した後にその発光ガイド
体の押し上げを解除する押し上げ機構が設けられていることを特徴としている。
【００１１】
請求項５に記載の発明は、請求項４に記載の発明において、前記スイッチ部が、フロン
トパネルの裏面に基端部を止着した弾性変位可能な複数の弾性レバーを有し、該各弾性レ
バーの上端に一体形成したノブがフロントパネルに開設したノブ孔に挿入され、その各弾
性レバーから操作杆がタクトスイッチに向けて後方に延ばされ、前記押し上げ機構が、前
記発光ダイオードの前方に位置するタクトスイッチに対向する操作杆の上面から上方に延
びて発光ガイド体の下面に当接または接近する起立部と、操作杆の下面から下方に延びる
脚部と、該脚部に対向してメイン基板より上方に位置する踏み台とを有し、フロントパネ
ルを突起部を中心に下動させたときに、脚部を踏み台に乗り上げさせて操作杆を押し上げ
ることにより起立部を介して発光ガイド体を押し上げ、該発光ガイド体の他端部がタクト
スイッチの上方を通過した後に脚部を踏み台上から降ろしてその発光ガイド体の押し上げ
を解除することを特徴としている。
【００１２】
請求項６記載の発明は、請求項５に記載の発明において、前記踏み台が筐体本体に一体
形成されてメイン基板の前端縁に形成した凹部を通って上方に延ばされ、該踏み台に一体
形成した棚部によりメイン基板の下面が支持されていることを特徴としている。
【００１３】
請求項７に記載の発明は、請求項５に記載の発明において、前記踏み台が筐体本体に一
体形成されてメイン基板よりも上方に延ばされ、該踏み台に形成した凹溝にメイン基板の
前端縁が着脱可能に嵌入されていることを特徴としている。
【００１４】
請求項８に記載の発明は、請求項５に記載の発明において、前記踏み台がメイン基板上
に配置され、該踏み台と発光ダイオードを取り囲んで保護する筒状ホルダとが一体形成さ
れていることを特徴としている。
【発明の効果】
【００１５】
請求項１に記載の発明は第１の実施の形態（図１〜図４参照）に対応するものであって
、これによれば、フロントパネルを下動させて筐体本体の前面開口部に嵌合させたときに
、スイッチ部の操作杆から下方に延びる脚部が踏み台に乗り上げて該操作杆を押し上げ、
その操作杆から上方に延びる起立部により発光ガイド体を押し上げるので、該発光ガイド
体の他端部の軌跡がタクトスイッチと交差する場合でも、その発光ガイド体の他端部をタ
クトスイッチに接触させるおそれがなく、前記発光ガイド体の他端部がタクトスイッチの
上方を通過した後に該発光ガイド体の押し上げを解除することにより、その発光ガイド体
の他端部が発光ダイオードに接近されてその両者間の間隔が小さくなるから、発光ダイオ
ードから発光ガイド体への集光量を多くして発光孔の輝度を高め、発光ダイオードの点滅
の有無を明確に確認させることができる。
【００１６】
また、前記脚部及び起立部がスイッチ部の操作杆に一体形成されると共に、踏み台が筐
体本体に一体形成されているから、部品点数が増加せず、製作費を安くすることができる
。更に、組立作業時に、踏み台にメイン基板の前端縁に形成した凹部を嵌合させることに
より、該メイン基板の前端縁を所定通りに位置決めすることができると共に、踏み台に一
体形成した棚部によりメイン基板の下面を支持しているので、該メイン基板の前端縁を水
平状態に保持することができる。
【００１７】
請求項２に記載の発明は第２の実施の形態（図５参照）に対応するものであって、これ
によれば、請求項１に記載の発明とほぼ同様の効果を得ることができ、特に、踏み台に形
成した凹溝にメイン基板の前端縁を嵌入させているので、そのメイン基板の前端縁を所定
通りに水平状態に保持することができる。
【００１８】
請求項３に記載の発明は第３の実施の形態（図６参照）に対応するものであって、これ
によれば、請求項１に記載の発明とほぼ同様の効果を得ることができ、特に、筒状ホルダ
を発光ダイオードに外嵌させてメイン基板上に配置するだけで、該ホルダに一体形成した
踏み台もメイン基板上の所定位置に配置することができる。
【００１９】
請求項４に記載の発明は基本形態を示すものであって、これによれば、フロントパネル
を下動させて筐体本体の前面開口部に嵌合させたときに、発光ガイド体の他端部の軌跡が
タクトスイッチと交差する場合でも、押し上げ機構により発光ガイド体を押し上げてタク
トスイッチの上方を通過させるので、その発光ガイド体の他端部をタクトスイッチに接触
させるおそれがなく、前記発光ガイド体の他端部がタクトスイッチの上方を通過した後に
該発光ガイド体の押し上げを解除することにより、その発光ガイド体の他端部が発光ダイ
オードに接近されてその両者間の間隔が小さくなるから、発光ダイオードから発光ガイド
体への集光量を多くして発光孔の輝度を高め、発光ダイオードの点滅の有無を明確に確認
させることができる。
【００２０】
請求項５に記載の発明によれば、フロントパネルを下動させて筐体本体の前面開口部に
嵌合させたときに、スイッチ部の操作杆から下方に延びる脚部が踏み台に乗り上げて該操
作杆を押し上げ、その操作杆から上方に延びる起立部により発光ガイド体を押し上げるの
で、該発光ガイド体の他端部の軌跡がタクトスイッチと交差する場合でも、その発光ガイ
ド体の他端部をタクトスイッチに接触させるおそれがない。しかも、前記脚部及び起立部
がスイッチ部の操作杆に一体形成されているから、部品点数が増加せず、製作費を安くす
ることができる。
【００２１】
請求項６に記載の発明によれば、組立作業時に、踏み台にメイン基板の前端縁に形成し
た凹部を嵌合させることにより、該メイン基板の前端縁を所定通りに位置決めすることが
できると共に、踏み台に一体形成した棚部によりメイン基板の下面を支持しているので、
該メイン基板の前端縁を水平状態に保持することができ、また、踏み台が筐体本体に一体
形成されているので、部品点数が増加せず、製作費を安くすることができる。
【００２２】
請求項７に記載の発明によれば、踏み台に形成した凹溝にメイン基板の前端縁を嵌入さ
せているので、そのメイン基板の前端縁を所定通りに水平状態に保持することができ、ま
た、踏み台が筐体本体に一体形成されているので、部品点数が増加せず、製作費を安くす
ることができる。
【００２３】
請求項８に記載の発明によれば、筒状ホルダを発光ダイオードに外嵌させてメイン基板
上に配置するだけで、該ホルダに一体形成した踏み台もメイン基板上の所定位置に配置す
ることができる。
【発明を実施するための最良の形態】
【００２４】
図１〜図４は本発明の第１の実施の形態である発光ガイド体及びスイッチ部付きフロン
トパネル嵌合装置を示すものであって、スイッチ部３に連動して発光ガイド体９を押し上
げるための押し上げ機構２０が設けられている。上記以外の構成は図７及び図８に示す構
成とほぼ同じであるから、同一部分に同一符号を付してその説明を省略する。
【００２５】
前記押し上げ機構２０は、発光ダイオードＬＥＤの前方に位置するタクトスイッチ７に
対向する操作杆３ｄの上面から上方に延びて発光ガイド体９の下面に当接または接近する
起立部２０ａと、操作杆３ｄの下面から下方に延びる脚部２０ｂと、該脚部２０ｂに対向
して筐体本体１に一体形成されてメイン基板６の前端縁に形成した凹部６ａを通って上方
に延びる踏み台２０ｃとからなり、該踏み台２０ｃに一体形成した棚部２０ｄによりメイ
ン基板６の下面が支持されいる。
【００２６】
フロントパネル２の嵌合手順を説明すると、図３に仮想線で示すように、フロントパネ
ル２の上端部から後方に延びる係合片２ａの係合孔１７を筐体本体１の前方上部に架設し
た横桁１ａ上の突起部１８に係合させ、該突起部１８を中心にフロントパネル２を下動さ
せ、図３に実線で示すように、脚部２０ｂを踏み台２０ｃに乗り上げさせて操作杆３ｄを
押し上げることにより起立部２０ａを介して発光ガイド体９を押し上げる。これにより、
発光ガイド体９の他端部９ｃの押し上げ前の軌跡Ｌ１を所定間隔βだけ上げてＬ２とし、
その軌跡Ｌ２がタクトスイッチ７と交差しないようにする。
【００２７】
発光ガイド体９の他端部９ｃがタクトスイッチ７の上方を通過した後に脚部２０ｂを踏
み台２０ｃ上から降ろしてその発光ガイド体９の押し上げを解除する（図１参照）。
【００２８】
上記構成によれば、フロントパネル２を下動させて筐体本体１の前面開口部に嵌合させ
たときに、スイッチ部３の操作杆３ｄから下方に延びる脚部２０ｂが踏み台２０ｃに乗り
上げて該操作杆３ｄを押し上げ、その操作杆３ｄから上方に延びる起立部２０ａにより発
光ガイド体９を押し上げるので、該発光ガイド体９の他端部９ｃの軌跡Ｌ１がタクトスイ
ッチ７と交差する場合でも、その発光ガイド体９の他端部９ｃをタクトスイッチ７に接触
させるおそれがなく、前記発光ガイド体９の他端部９ｃがタクトスイッチ７の上方を通過
した後に、該発光ガイド体９の押し上げを解除することにより、その発光ガイド体９の他
端部９ｃが発光ダイオードＬＥＤに接近されてその両者間の間隔αが小さくなるから、発
光ダイオードＬＥＤから発光ガイド体９への集光量を多くして発光孔８の輝度を高め、発
光ダイオードＬＥＤの点滅の有無を明確に確認させることができる。
【００２９】
また、前記脚部２０ｂ及び起立部２０ａがスイッチ部３の操作杆３ｄに一体形成される
と共に、踏み台２０ｃが筐体本体１に一体形成されているから、部品点数が増加せず、製
作費を安くすることができる。
【００３０】
更に、組立作業時に、踏み台２０ｃにメイン基板６の前端縁に形成した凹部６ａを嵌合
させることにより、該メイン基板６の前端縁を所定通りに位置決めすることができると共
に、踏み台２０ｃに一体形成した棚部２０ｄによりメイン基板６の下面を支持しているの
で、該メイン基板６の前端縁を水平状態に保持することができる。
【００３１】
図５は本発明の第２の実施の形態である発光ガイド体及びスイッチ部付きフロントパネ
ル嵌合装置を示すものであって、踏み台２０ｃに形成した凹溝２１にメイン基板６の前端
縁が着脱可能に嵌入されている。上記以外の構成は第１の実施の形態とほぼ同じであるか
ら、同一部分に同一符号を付してその説明を省略する。
【００３２】
上記構成によれば、第１の実施の形態とほぼ同じ効果を得ることができ、特に、踏み台
２０ｃに形成した凹溝２１にメイン基板６の前端縁を嵌入させているので、そのメイン基
板６の前端縁を所定通りに水平状態に保持することができる。
【００３３】
図６は本発明の第３の実施の形態である発光ガイド体及びスイッチ部付きフロントパネ
ル嵌合装置を示すものであって、踏み台２０ｃがメイン基板６上に載置されると共に、該
踏み台２０ｃと発光ガイド体９を取り囲んで保護する筒状ホルダ１５とが左右一対の連結
杆２２を介して一体形成されている。上記以外の構成は第１の実施の形態とほぼ同じであ
るから、同一部分に同一符号を付してその説明を省略する。
【００３４】
上記構成によれば、第１の実施の形態とほぼ同じ効果を得ることができ、特に、筒状ホ
ルダ１５を発光ダイオードＬＥＤに外嵌させてメイン基板６上に配置するだけで、該ホル
ダ１５に一体形成した踏み台２０ｃもメイン基板６上の所定位置に配置することができる
。ここで重要なことは、両連結杆２２間の空間にタクトスイッチ７が配置されているとい
うことであり、組立時に、タクトスイッチ７に工具などが側方から不測に衝突するのを両
連結杆２２で阻止して、そのタクトスイッチ７を保護する。
【産業上の利用可能性】
【００３５】
上記の実施の形態では、ＤＶＤ一体型ビデオデッキを例にあげて説明したが、これに限
定されるわけではなく、例えば単体型ＤＶＤディスクプレーヤや単体型ビデオデッキなど
の各種電気機器にも適用される。
【図面の簡単な説明】
【００３６】
【図１】本発明の第１の実施の形態である発光ガイド体及びスイッチ部付きフロントパネル嵌合装置の縦断面図である。
【図２】同斜視図である。
【図３】同フロントパネルの嵌合手順を説明する縦断面図である。
【図４】（ａ）は同要部の平面図、（ｂ）は分解斜視図である。
【図５】（ａ）は本発明の第２の実施の形態である発光ガイド体及びスイッチ部付きフロントパネル嵌合装置の要部の平面図、（ｂ）は分解斜視図である。
【図６】（ａ）は本発明の第３の実施の形態である発光ガイド体及びスイッチ部付きフロントパネル嵌合装置の要部の平面図、（ｂ）は分解斜視図である。
【図７】従来例を示す斜視図である。
【図８】同フロントパネルの嵌合手順を説明する縦断面図である。
【符号の説明】
【００３７】
１        筐体本体
２        フロントパネル
３        スイッチ部
３ｂ      弾性レバー
３ｃ      ノブ
３ｄ      操作杆
５        ノブ孔
６        メイン基板
６ａ      メイン基板の凹部
７        タクトスイッチ
８        発光孔
９        発光ガイド体
９ａ      発光ガイド体の一端部
９ｂ      発光ガイド体の分岐部
９ｃ      発光ガイド体の他端部
１５      ホルダ
１８      突起部
２０      押し上げ機構
２０ａ    起立部
２０ｂ    脚部
２０ｃ    踏み台
２０ｄ    棚部
２１      凹溝
２２      連結杆
ＬＥＤ    発光ダイオード
【図１】
2005294191.tif 000003
【図２】
2005294191.tif 000004
【図３】
2005294191.tif 000005
【図４】
2005294191.tif 000006
【図５】
2005294191.tif 000007
【図６】
2005294191.tif 000008
【図７】
2005294191.tif 000009
【図８】
2005294191.tif 000010